(57)【要約】【課題】キッチンカウンター上に容易に設置することができる仕切パネル、この仕切パネルの取付方法及びこの仕切パネルの取付構造を提供する。【解決手段】仕切パネル１は、支持部材２、パネル部材４及びねじ１１を備える。パネル部材４はパネル本体４０を備える。支持部材２は、取付部２３と支持部２０とを備える。取付部２３はレンジフード７に取り付けられる。支持部２０は、取付部２３に繋がり、パネル本体４０の上端部に取り付けられた上フレーム材４２を支持する。パネル本体４０の下端部に取り付けられた下フレーム材４３に、ねじ１１によってキッチンカウンター６に固定される固定部５７が形成される。【選択図】図３
2018183435.tif 000002
【特許請求の範囲】
【請求項１】
キッチンカウンターの上方に位置するレンジフードに取り付けられる支持部材と、
前記キッチンカウンターと前記レンジフードとの間に立った状態で設けられ、前記キッチンカウンターの上端部に設けられた加熱調理器の後側に配置されるパネル部材と、
前記パネル部材を前記キッチンカウンターに固定するねじとを備え、
前記パネル部材は、
板状に形成されたパネル本体と、
前記パネル本体の上端部に取り付けられた上フレーム材と、
前記パネル本体の下端部に取り付けられた下フレーム材と、
前記パネル本体の左端部に取り付けられ、上端部が上フレーム材に連結され、下端部が下フレーム材に連結された左フレーム材と、
前記パネル本体の右端部に取り付けられ、上端部が上フレーム材に連結され、下端部が下フレーム材に連結された右フレーム材とを備え、
前記支持部材は、
前記レンジフードに取り付けられる取付部と、
前記取付部に繋がり、前記上フレーム材を支持する支持部とを備え、
前記下フレーム材に、前記ねじによって前記キッチンカウンターに固定される固定部が形成されたことを特徴とする仕切パネル。
【請求項２】
前記支持部材を前記レンジフードに固定する第２ねじと、
前記上フレーム材を前記支持部材に固定する第３ねじとをさらに備え、
前記支持部は、
前記取付部から下方に突出し、前記上フレーム材を前側から支持する第１支持部と、
前記取付部における前記第１支持部よりも前方に位置する部分から下方に突出し、前記第１支持部の下端よりも下方に延び、前記上フレーム材を前側から支持する第２支持部とを備え、
前記第２ねじにより前記取付部が前記レンジフードに固定され、前記第３ねじにより前記上フレーム材が前記第１支持部に固定されることを特徴とする請求項１に記載の仕切パネル。
【請求項３】
前記パネル部材に取り付けられ、前記上フレーム材を後側から覆うカバー部材をさらに備え、
前記取付部における前記第１支持部よりも後方に位置する部分が、前記第２ねじによって前記レンジフードに固定され、前記カバー部材によって前記第２ねじと前記第３ねじとが覆われることを特徴とする請求項２に記載の仕切パネル。
【請求項４】
前記パネル部材は、
前記左フレーム材及び前記右フレーム材に一対一で対応する一対のサイドカバーと、
前記一対のサイドカバーを前記支持部材にそれぞれ固定する複数の第４ねじとをさらに備え、
前記左フレーム材及び前記右フレーム材の各々は、前記レンジフードとの間に隙間が形成された状態で前記レンジフードの下方に配置され、前記一対のサイドカバーの各々は、対応する前記隙間を覆い、前記複数の第４ねじにより前記一対のサイドカバーが前記取付部における前記第１支持部よりも後方に位置する部分又は前記第１支持部に固定され、前記複数の第４ねじは前記カバー部材によって覆われることを特徴とする請求項３に記載の仕切パネル。
【請求項５】
請求項１〜４のいずれか１項に記載の仕切パネルの取付方法であって、
前記取付部を前記レンジフードに取り付け、この後、前記パネル部材を前記キッチンカウンターと前記レンジフードとの間に立った状態で配置して、前記上フレーム材を前記支持部によって支持し、この状態で、前記固定部を前記ねじによって前記キッチンカウンターに固定することを特徴とする仕切パネルの取付方法。
【請求項６】
キッチンカウンターと、
前記キッチンカウンターの上端部に設けられた加熱調理器と、
前記加熱調理器の上方に設けられたレンジフードと、
仕切パネルとを備え、
前記仕切パネルは、
前記レンジフードに取り付けられた支持部材と、
前記キッチンカウンターと前記レンジフードとの間に立った状態で設けられ、前記加熱調理器の後側に配置されたパネル部材と、
前記パネル部材を前記キッチンカウンターに固定するねじとを備え、
前記パネル部材は、
板状に形成されたパネル本体と、
前記パネル本体の上端部に取り付けられた上フレーム材と、
前記パネル本体の下端部に取り付けられた下フレーム材と、
前記パネル本体の左端部に取り付けられ、上端部が上フレーム材に連結され、下端部が下フレーム材に連結された左フレーム材と、
前記パネル本体の右端部に取り付けられ、上端部が上フレーム材に連結され、下端部が下フレーム材に連結された右フレーム材とを備え、
前記支持部材は、
前記レンジフードに取り付けられた取付部と、
前記取付部に繋がり、前記上フレーム材を支持する支持部とを備え、
前記ねじにより前記下フレーム材が前記キッチンカウンターに固定されていることを特徴とする仕切パネルの取付構造。
【発明の詳細な説明】
【技術分野】
【０００１】
本発明は、仕切パネル、仕切パネルの取付方法及び仕切パネルの取付構造に関する。
【背景技術】
【０００２】
特許文献１には、対面式システムキッチンのカウンター面における加熱調理部の後方部に、バックガードを立設することが開示されている。このバックガードは、矩形状のフレームと、このフレームの内側に取り付けられたガラス板とで構成されている。このバックガードは、加熱調理部での作業に際して油等がリビングルーム側に飛散することを抑制する。
【先行技術文献】
【特許文献】
【０００３】
【特許文献１】特開２００５−１３７５８９号公報
【発明の概要】
【発明が解決しようとする課題】
【０００４】
ところで、前述したようなバックガードをキッチンカウンターに固定するには、作業者は、例えばバックガードをキッチンカウンター上に立てた状態で支持し、この状態を維持しながらねじ等を用いてフレームをキッチンカウンターに固定する必要がある。このため、バックガードの設置作業が容易ではなく手間を要する。
【０００５】
本発明は前記事情に鑑みてなされたものであって、キッチンカウンター上に容易に設置することができる仕切パネル、この仕切パネルの取付方法及びこの仕切パネルの取付構造を提供することを目的とする。
【課題を解決するための手段】
【０００６】
前記目的を達成するために本発明に係る一態様の仕切パネルは、以下に示す特徴を有する。仕切パネルは、支持部材、パネル部材及びねじを備える。前記支持部材は、キッチンカウンターの上方に位置するレンジフードに取り付けられる。前記パネル部材は、前記キッチンカウンターと前記レンジフードとの間に立った状態で設けられ、前記キッチンカウンターの上端部に設けられた加熱調理器の後側に配置される。前記ねじは、前記パネル部材を前記キッチンカウンターに固定する。前記パネル部材は、パネル本体、上フレーム材、下フレーム材、左フレーム材及び右フレーム材を備える。前記パネル本体は、板状に形成される。前記上フレーム材は、前記パネル本体の上端部に取り付けられる。前記下フレーム材は、前記パネル本体の下端部に取り付けられる。前記左フレーム材は、前記パネル本体の左端部に取り付けられ、上端部が上フレーム材に連結され、下端部が下フレーム材に連結される。前記右フレーム材は、前記パネル本体の右端部に取り付けられ、上端部が上フレーム材に連結され、下端部が下フレーム材に連結される。前記支持部材は、取付部と支持部とを備える。前記取付部は、前記レンジフードに取り付けられる。前記支持部は、前記取付部に繋がり、前記上フレーム材を支持する。前記下フレーム材に、前記ねじによって前記キッチンカウンターに固定される固定部が形成される。
【０００７】
また、本発明に係る一態様の仕切パネルの取付方法は、以下に示す特徴を有する。前記取付部を前記レンジフードに取り付ける。この後、前記パネル部材を前記キッチンカウンターと前記レンジフードとの間に立った状態で配置して、前記上フレーム材を前記支持部によって支持する。この状態で、前記固定部を前記ねじによって前記キッチンカウンターに固定する。
【０００８】
また、本発明に係る一態様の仕切パネルの取付構造は、以下に示す特徴を有する。仕切パネルの取付構造は、キッチンカウンター、加熱調理器、レンジフード及び仕切パネルを備える。前記加熱調理器は、前記キッチンカウンターの上端部に設けられる。前記レンジフードは、前記加熱調理器の上方に設けられる。前記仕切パネルは、支持部材、パネル部材及びねじを備える。前記支持部材は、前記レンジフードに取り付けられる。前記パネル部材は、前記キッチンカウンターと前記レンジフードとの間に立った状態で設けられ、前記加熱調理器の後側に配置される。前記ねじは、前記パネル部材を前記キッチンカウンターに固定する。前記パネル部材は、パネル本体、上フレーム材、下フレーム材、左フレーム材及び右フレーム材を備える。前記パネル本体は、板状に形成される。前記上フレーム材は、前記パネル本体の上端部に取り付けられる。前記下フレーム材は、前記パネル本体の下端部に取り付けられる。前記左フレーム材は、前記パネル本体の左端部に取り付けられ、上端部が上フレーム材に連結され、下端部が下フレーム材に連結される。前記右フレーム材は、前記パネル本体の右端部に取り付けられ、上端部が上フレーム材に連結され、下端部が下フレーム材に連結される。前記支持部材は、取付部と支持部とを備える。前記取付部は、前記レンジフードに取り付けられる。前記支持部は、前記取付部に繋がり、前記上フレーム材を支持する。前記ねじにより前記下フレーム材が前記キッチンカウンターに固定される。
【発明の効果】
【０００９】
本発明に係る仕切パネルを施工する場合、まず支持部材をレンジフードに取り付け、この後、パネル部材をキッチンカウンターとレンジフードとの間に立て、この後、パネル部材の下フレーム材の固定部をねじでキッチンカウンターに固定する。ここで、作業者は、固定部をねじでキッチンカウンターに固定する際に、パネル部材の上フレーム材を支持部材の支持部によって支持することができる。このため、作業者は下フレーム材の固定部をキッチンカウンターに容易に取り付けることができる。
【図面の簡単な説明】
【００１０】
【図１】図１Ａ及び図１Ｂは、本発明に係る一実施形態の仕切パネルを示し、図１Ａは背面図であり、図１Ｂは平面図である。
【図２】図２は、同上の仕切パネルの設置状態を示した斜視図である。
【図３】図３は、図１ＡのＡ−Ａ線断面図である。
【図４】図４Ａ及び図４Ｂは、同上の仕切パネルのパネル部材を示し、図４Ａは背面図であり、図４Ｂは平面図である。図４Ｃは、図４ＡのＣ部拡大図である。
【図５】図５は、図１ＡのＢ−Ｂ線断面図である。
【図６】図６は、同上の仕切パネルを設置する前におけるキッチンカウンター及びレンジフードの斜視図である。
【図７】図７は、同上のレンジフードに支持部材を取り付ける様子を示した斜視図である。
【図８】図８は、同上の支持部材及びキッチンカウンターにパネル部材を取り付ける様子を示した斜視図である。
【図９】図９は、同上の仕切パネルのサイドカバーを取り付ける様子を示した斜視図である。
【図１０】図１０は、同上の仕切パネルの上カバークリップを支持部材に取り付ける様子を示した斜視図である。
【図１１】図１１Ａは同上のパネル部材に上カバー部材を取り付ける様子を示した斜視図であり、図１１Ｂは同上のパネル部材に下カバー部材を取り付ける様子を示した斜視図である。
【発明を実施するための形態】
【００１１】
以下に示す実施形態は、仕切パネル、仕切パネルの取付方法及び仕切パネルの取付構造に関する。詳しくは、キッチンカウンターとレンジフードとの間に設けられる仕切パネル、仕切パネルの取付方法及び仕切パネルの取付構造に関する。
【００１２】
図１Ａ及び図１Ｂに示す本実施形態の仕切パネル１は、図２に示すように、キッチンカウンター６（調理台）と、キッチンカウンター６の上方に設けられたレンジフード７との間に立った状態で設けられる。キッチンカウンター６の上端部には、加熱調理器６０が設けられている。仕切パネル１は、加熱調理器６０上に置かれた鍋等の被加熱物から飛散した油、煮汁又は水等を受け、これら油等が飛散することを抑制する。以下、仕切パネル１の取付構造について説明する。
【００１３】
（キッチンカウンター）
キッチンカウンター６は、室内空間をキッチンスペースとその他のスペースとに仕切るように設置される対面式キッチンカウンターである。ここで、キッチンスペースとは、キッチンカウンター６を利用して調理を行う利用者が位置するスペースである。また、前記その他のスペースとしては、例えばダイニングスペース又はリビングスペースが挙げられる。なお、キッチンカウンター６は、壁と接しないアイランド型であってもよいし、壁と接するペニンシュラ型であってもよい。
【００１４】
以下では、キッチンカウンター６、レンジフード７及び仕切パネル１について、それぞれ設置された状態における方向を用いて説明する。具体的には、キッチンカウンター６からキッチンスペースに向かう方向を前方と定義し、キッチンカウンター６からキッチンスペースとは反対側に向かう方向を後方と定義する。また、前後方向に対して直交する水平方向を左右方向と定義する。
【００１５】
本実施形態のキッチンカウンター６は、部屋の床に設置されたキャビネット６１と、キャビネット６１上に設置された天板６２とを備えている。天板６２はキッチンカウンター６の上端部を構成し、天板６２の上面はキッチンカウンター６の上面を構成している。
【００１６】
天板６２には加熱調理器６０が設けられている。加熱調理器６０は、例えば電磁誘導加熱調理器（ＩＨ調理器）又はガスこん炉であって、天板６２に形成された開口部６３に設置されている。加熱調理器６０は加熱調理器６０上に置かれた鍋等の被加熱物を加熱する機能を有している。
【００１７】
（レンジフード）
加熱調理器６０の上方には、レンジフード７が設けられている。レンジフード７は、下面に吸込口７１が形成されたフード７０と、フード７０内に設けられたファン（図示せず）とを備えている。フード７０は、例えば部屋の天井又は壁に設置される。前記ファンが駆動することにより、フード７０の下方の空気は吸込口７１からフード７０内に吸い込まれて屋外に排出される。
【００１８】
（仕切パネル）
キッチンカウンター６とレンジフード７との間には、仕切パネル１が設けられている。本実施形態の仕切パネル１は、天板６２の後端部からフード７０の後端部に至るように設置されており、加熱調理器６０の後側に配置されている。
【００１９】
仕切パネル１は、図３に示すように、レンジフード７に取り付けられた支持部材２と、キッチンカウンター６とレンジフード７との間に立った状態で設けられたパネル部材４とを備えている。
【００２０】
また、仕切パネル１は、下フレーム材４３をキッチンカウンター６に固定する複数のねじ１１（図８参照）を備えている。以下、複数のねじ１１の各々を第１ねじ１１という。
【００２１】
（支持部材）
支持部材２は、レンジフード７の後端部に取り付けられている（図７参照）。本実施形態の支持部材２は、長手方向が左右方向と平行な長尺物であり、金属製である。
【００２２】
支持部材２は、レンジフード７に固定された取付部２３と、取付部２３に繋がった支持部２０とを備えている。
【００２３】
本実施形態の取付部２３は、レンジフード７の下面に沿った板状に形成されている。取付部２３の長手方向は左右方向と平行である。
【００２４】
本実施形態の支持部２０は、取付部２３の前後方向の中間部から下方に突出した第１支持部２１と、取付部２３の前端部から下方に突出した第２支持部２２とを備えている。本実施形態の支持部材２は、取付部２３、第１支持部２１及び第２支持部２２で構成されている。
【００２５】
第１支持部２１及び第２支持部２２は、取付部２３と一体に形成されている。第１支持部２１は、左右方向において取付部２３のうち両端部を除いた部分に亘って形成されており、第２支持部２２は取付部２３の左右方向の全長に亘っている（図７参照）。
【００２６】
図１Ａ及び図１Ｂに示すように、本実施形態の仕切パネル１は、支持部材２をレンジフード７に取り付けるための複数のねじ１２を備えている。以下、複数のねじ１２の各々を第２ねじ１２という。
【００２７】
図１Ｂに示すように、取付部２３には、複数の第２ねじ１２がそれぞれ挿通された複数の挿通孔２４が形成されている。本実施形態の取付部２３は、図３に示すように、第１支持部２１よりも後方に突出した突出部分２５を備えており、この突出部分２５に複数の挿通孔２４が形成されている。図１Ｂに示すように、複数の挿通孔２４は左右方向に並んでおり、複数の挿通孔２４の各々は、取付部２３を上下に貫通している。
【００２８】
図３に示すフード７０の後端部には、複数のねじ穴７２が形成されている（図６参照）。複数のねじ穴７２の各々は、下方に開口している。
【００２９】
複数の第２ねじ１２は、それぞれ複数の挿通孔２４に挿通されて複数のねじ穴７２にねじ込まれている。これにより、取付部２３はレンジフード７に取り付けられている。
【００３０】
本実施形態の各挿通孔２４の径は、フード７０に対する支持部材２の水平位置を調整可能にするため、第２ねじ１２の軸部の径よりも大きい。また、本実施形態では、各第２ねじ１２の頭部と取付部２３との間に、ワッシャー１８が設けられており、各第２ねじ１２の軸部は、対応するワッシャー１８に形成された、挿通孔２４よりも小径の孔に挿通されている。
【００３１】
支持部材２の第１支持部２１及び第２支持部２２は、キッチンカウンター６とレンジフード７との間に立った状態で設けられたパネル部材４の上端部の前側に配置されている。
【００３２】
（パネル部材）
本実施形態のパネル部材４は、図４Ａに示すように、板状のパネル本体４０と、パネル本体４０の四周を囲んだ枠体４１とを備えている。
【００３３】
本実施形態のパネル本体４０は、矩形板状に形成された透明なガラス板である。パネル本体４０の板厚方向は、前後方向と平行である。
【００３４】
枠体４１は正面視矩形状に形成されており、上下一対のフレーム材４２，４３と、左右一対のフレーム材４４，４５とを備えている。各フレーム材４２〜４５は、金属製である。
【００３５】
以下、必要に応じて、上下一対のフレーム材４２，４３のうち、上側に配置されるフレーム材４２を上フレーム材４２といい、下側に配置されるフレーム材４５を下フレーム材４３という。また、左右一対のフレーム材４４，４５のうち、左側に配置されるフレーム材４４を左フレーム材４４といい、右側に配置されるフレーム材４５を右フレーム材４５という。
【００３６】
上フレーム材４２は、長手方向が左右方向と平行な長尺物であり、パネル本体４０の上端部に取り付けられている。下フレーム材４３は、長手方向が左右方向と平行な長尺物であり、パネル本体４０の下端部に取り付けられている。左フレーム材４４は、長手方向が上下方向と平行な長尺物であり、パネル本体４０の左端部に取り付けられている。右フレーム材４５は、長手方向が上下方向と平行な長尺物であり、パネル本体４０の右端部に取り付けられている。
【００３７】
本実施形態の上フレーム材４２は、左フレーム材４４の上端部と右フレーム材４５の上端部との間に位置している。本実施形態の下フレーム材４３は、左フレーム材４４の下端部と右フレーム材４５の下端部との間に位置している。
【００３８】
上フレーム材４２は、図１Ｂに示す支持部材２の取付部２３と左右方向の長さが同じである。図１Ｂに示すように、左フレーム材４４及び右フレーム材４５は、左右方向において支持部材２よりも外側に位置している。
【００３９】
図３及び図４Ｃに示すように、本実施形態の各フレーム材４２〜４５は、嵌込部４６を備えている。各フレーム材４２〜４５の嵌込部４６には、枠体４１の内側（パネル本体４０側）に向かって開口した嵌込溝部４７が形成されている。各フレーム材４２〜４５の嵌込溝部４７には、枠体４１の内側に向かって開口した断面Ｕ字状のガスケット４８が嵌め込まれている。パネル本体４０の上下左右の端部の各々は、対応するガスケット４８の内側に嵌め込まれている。これにより、パネル本体４０の上下左右の端部の各々は、対応するフレーム材４２〜４５にガスケット４８を介して取り付けられている。
【００４０】
図１Ａに示す左フレーム材４４及び右フレーム材４５の各々は、上端部が上フレーム材４２にねじ等を用いて連結され、下端部が下フレーム材４３にねじ等を用いて連結されている。
【００４１】
（上フレーム材）
図３に示す上フレーム材４２はパネル部材４の上端部を構成している。上フレーム材４２の嵌込部４６は、第２支持部２２の後面に当たって接している。上フレーム材４２は、嵌込部４６の後端部から上方に突出した当接部４９をさらに備えている。当接部４９は、第１支持部２１の後面に当たって接している。
【００４２】
本実施形態の仕切パネル１は、上フレーム材４２を支持部材２に取り付けるための複数のねじ１３（図８参照）を備えている。以下、複数のねじの各々を第３ねじ１３という。
【００４３】
図４Ａに示すように、当接部４９には、複数の通し孔５０が形成されている。複数の通し孔５０の各々は、当接部４９を前後方向に貫通している。本実施形態では、当接部４９の左右方向の両端部の各々に通し孔５０が形成されている。
【００４４】
図３に示す支持部材２の第１支持部２１において、複数の通し孔５０に対応する箇所には、複数のねじ穴２７がそれぞれ形成されている。これら複数のねじ穴２７の各々は、第１支持部２１を前後方向に貫通している。
【００４５】
複数の第３ねじ１３（図８参照）は、それぞれ複数の通し孔５０に挿通されて複数のねじ穴２７にねじ込まれており、これにより上フレーム材４２は第１支持部２１に取り付けられている。
【００４６】
図４Ａに示すように、本実施形態の各通し孔５０は長孔で構成されており、第１支持部２１に設けられたねじ穴２７（図３参照）よりも上下寸法が長い。このため、施工誤差等によって、レンジフード７のキッチンカウンター６に対する高さが変化しても、第３ねじ１３の通し孔５０における上下位置を変更するだけで、上フレーム材４２を複数の第３ねじ１３で第１支持部２１に固定することができる。
【００４７】
上フレーム材４２、左フレーム材４４及び右フレーム材４５の各々は、フード７０の下面との間にわずかに間隔をあけて配置されている。図１Ａに示すように、フード７０とこのフード７０の下方に位置する左フレーム材４４との間、及びフード７０とこのフード７０の下方に位置する右フレーム材４５との間には、それぞれ隙間１６，１７が形成されている。
【００４８】
（サイドカバー）
本実施形態のパネル部材４は、左フレーム材４４及び右フレーム材４５に一対一で対応する一対のサイドカバー５１，５２を備えている。本実施形態の一対のサイドカバー５１，５２の各々は、合成樹脂製である。各サイドカバー５１，５２は、図９に示すように、左右一対のフレーム材４４，４５のうち、対応するフレーム材４４，４５に被嵌された（被さるように嵌まった）被嵌部５３と、被嵌部５３に繋がった、固定片部５４及び取付片部５５を備えている。
【００４９】
被嵌部５３は対応するフレーム材４４，４５に対して上下方向にスライド可能に被嵌されている。被嵌部５３の上部は、対応するフレーム材４４，４５よりも上方に突出し、この上部により対応する隙間１６，１７を覆い隠している。
【００５０】
固定片部５４は、水平な板状に形成されており、支持部材２における突出部分２５の下面に沿って配置されている。取付片部５５は、固定片部５４の後端部から下方に突出している。
【００５１】
本実施形態のパネル部材４は、一対のサイドカバー５１，５２を支持部材２にそれぞれ取り付けるための複数のねじ１４を備えている。以下、複数のねじの各々を第４ねじ１４という。本実施形態のパネル部材４は、一対の第４ねじ１４を備えている。
【００５２】
図５に示すように固定片部５４には、対応する第４ねじ１４が挿通された透孔５６が形成されている。支持部材２の左右方向の両端部の各々において、複数の透孔５６にそれぞれ対応する箇所にはねじ穴２６が形成されている。
【００５３】
本実施形態のねじ穴２６は、支持部材２の取付部２３に形成されており、取付部２３を上下に貫通している。複数の第４ねじ１４の各々は、対応するサイドカバー５１，５２の透孔５６に挿通されて対応するねじ穴２６にねじ込まれている。これにより、各サイドカバー５１，５２は支持部材２に固定されている。
【００５４】
（下フレーム材）
図３に示す下フレーム材４３はパネル部材４の下端部を構成している。下フレーム材４３の嵌込部４６は、天板６２の上面に沿って配置されている。
【００５５】
下フレーム材４３は固定部５７をさらに備えている。固定部５７は、嵌込部４６と一体に形成されており、嵌込部４６の下端部から後方に突出している。固定部５７は天板６２の上面に沿って配置されている。
【００５６】
固定部５７には複数の貫通孔５８が形成されている（図８参照）。複数の貫通孔５８の各々は、固定部５７を上下方向に貫通している。
【００５７】
下フレーム材４３は、複数の第１ねじ１１（図８参照）でキッチンカウンター６に固定される。
【００５８】
複数の第１ねじ１１は、複数の貫通孔５８にそれぞれ挿通されて、天板６２にねじ込まれている。これにより、固定部５７はキッチンカウンター６に固定されている。
【００５９】
本実施形態の各貫通孔５８の径は、キッチンカウンター６に対する下フレーム材４３の水平位置を調整可能にするため、第１ねじ１１の軸部の径よりも大きい。また、本実施形態では、各第１ねじ１１の頭部と固定部５７との間に、ワッシャー１９が設けられており、各第１ねじ１１の軸部は、対応するワッシャー１９に形成された、貫通孔５８よりも小径の孔に挿通されている。
【００６０】
（下カバー部材）
本実施形態の仕切パネル１は、下フレーム材４３を後側から覆うカバー部材８を備えている。以下、カバー部材８を後述する上カバー部材９と区別するため、下カバー部材８という。
【００６１】
下カバー部材８は、長手方向が左右方向と平行な長尺物であり、合成樹脂製である。下カバー部材８は、下フレーム材４３と左右方向の長さが同じである。図１Ａに示すように、下カバー部材８は、左フレーム材４４の下端部と右フレーム材４５の下端部との間に位置している。
【００６２】
図３に示すように下カバー部材８は下フレーム材４３に取り付けられている。下カバー部材８は、下フレーム材４３を後側から覆うカバー部８０と、カバー部８０から前側に向かって突出した嵌合部８１とを備えている。
【００６３】
図４Ａ及び図４Ｂに示すように、本実施形態の仕切パネル１は、下フレーム材４３に取り付けられた複数のカバークリップ８２を備えている。以下、このカバークリップ８２を後述する上カバークリップ９２と区別するため、下カバークリップ８２という。
【００６４】
複数の下カバークリップ８２は、左右方向に並んでおり、下フレーム材４３における固定部５７の上面に沿って配置されている。複数の下カバークリップ８２の各々は、固定部５７にねじ止めされている。
【００６５】
図３に示すように、複数の下カバークリップ８２の各々には、後方に開口した嵌合溝８３が形成されている。下カバー部材８の嵌合部８１は、各下カバークリップ８２の嵌合溝８３に嵌合している。これにより、下カバー部材８は、複数の下カバークリップ８２を介して下フレーム材４３に取り付けられている。
【００６６】
下カバー部材８のカバー部８０は、複数の第１ねじ１１及び複数の下カバークリップ８２を覆い隠している。
【００６７】
（上カバー部材）
本実施形態の仕切パネル１は、上フレーム材４２を後側から覆うカバー部材９を備えている。以下、このカバー部材９を上カバー部材９という。
【００６８】
図１Ａに示すように、上カバー部材９は、長手方向が左右方向と平行な長尺物であり、合成樹脂製である。上カバー部材９は、上フレーム材４２と左右方向の長さが同じである。上カバー部材９は、左フレーム材４４の上端部と右フレーム材４５の上端部との間に位置しており、支持部材２に取り付けられている。
【００６９】
図３に示すように、上カバー部材９は、上フレーム材４２及び支持部材２を後側から覆うカバー部９０と、カバー部９０から前側に向かって突出した嵌合部９１とを備えている。
【００７０】
本実施形態の仕切パネル１は、支持部材２に取り付けられた複数のカバークリップ９２（図１０参照）を備えている。以下、このカバークリップ９２を上カバークリップ９２という。
【００７１】
複数の上カバークリップ９２は、左右方向に並んでおり、支持部材２の突出部分２５の下面に沿って配置されている。複数の上カバークリップ９２の各々は、突出部分２５にねじ止めされている。複数の上カバークリップ９２の各々には、後方に開口した嵌合溝９３が形成されている。図３に示す上カバー部材９の嵌合部９１は、複数の上カバークリップ９２の嵌合溝９３に嵌合している。
【００７２】
上カバー部材９のカバー部９０は、複数の第２ねじ１２（図８参照）、複数の第３ねじ１３（図８参照）並びに複数の第４ねじ１４（図５参照）、及び各サイドカバー５１，５２の固定片部５４並びに取付片部５５、及び複数の上カバークリップ９２（図１０参照）を覆い隠している。
【００７３】
本実施形態の仕切パネル１は、図５及び図１１Ａに示すように、上カバー部材９をパネル部材４に取り付けるための複数のねじ１５を備えている。以下、複数のねじ１５の各々を第５ねじ１５という。本実施形態のパネル部材４は、一対の第５ねじ１５を備えている。
【００７４】
各サイドカバー５１，５２の取付片部５５には、ねじ穴５９（図９参照）が形成されている。ねじ穴５９は取付片部５５を前後方向に貫通している。
【００７５】
一対の第５ねじ１５の各々は、カバー部９０に挿通され、対応するねじ穴５９にねじ込まれている。これにより、上カバー部材９は一対のサイドカバー５１，５２に固定されている。すなわち、上カバー部材９は、一対の第５ねじ１５によるねじ止めと、複数の上カバークリップ９２への嵌合とで、パネル部材４に取り付けられている。
【００７６】
図１Ａ及び図１Ｂに示すように、本実施形態の仕切パネル１は、上カバー部材９のカバー部９０の左右方向の両端部に取り付けられた一対の化粧プレート９３，９４を備えている。一対の化粧プレート９３，９４の各々は、合成樹脂製である。各化粧プレート９３，９４は、カバー部９０の後面に沿って配置されている。各化粧パプレート９３，９４は、カバー部９０に対して引っ掛けられ、これにより、上カバー部材９に取り付けられている。各化粧プレート９３，９４は、対応する第５ねじ１５の頭部を後側から覆い隠している。
【００７７】
（施工）
仕切パネル１は、例えば以下に示すように施工される。作業者は、まず、図６に示すように、キッチンカウンター６の天板６２において、複数の第１ねじ１１（図８参照）がそれぞれねじ込まれる箇所に複数の下穴６５をあける。なお、図６中符号６４は、天板６２を保護する養生シールである。
【００７８】
次に作業者は、図７に示すように、支持部材２をフード７０の下面に沿って配置し、この支持部材２を複数の第２ねじ１２でレンジフード７に固定する。このとき、作業者は、各第２ねじ１２を対応するワッシャー１８及び挿通孔２４に下方から挿入し、各第２ねじ１２をフード７０の対応するねじ穴７２（図６参照）にねじ込む。
【００７９】
次に作業者は、パネル部材４をキッチンカウンター６と支持部材２との間に後側から挿入し、図８に示すように、パネル部材４をキッチンカウンター６上に立てる。このとき作業者は、図３に示す嵌込部４６及び当接部４９を第２支持部２２の後面及び第１支持部２１の後面にそれぞれ当てて、上フレーム材４２を第１支持部２１及び第２支持部２２によって前側から支持された状態にする。
【００８０】
次に作業者は、図８に示す複数の第１ねじ１１で下フレーム材４３をキッチンカウンター６に固定する。このとき作業者は、各第１ねじ１１を対応するワッシャー１９及び固定部５７の対応する貫通孔５８に上方から挿入し、各第１ねじ１１を天板６２の対応する下穴６５（図６参照）にねじ込む。なお、このとき、各第１ねじ１１は対応する下穴６５に対して仮締めされ、本締めはされない。すなわち、下フレーム材４３は、キッチンカウンター６に仮固定される。
【００８１】
また、一対のサイドカバー５１，５２の各々は、上述のようにパネル部材４がキッチンカウンター６上に立てられる前において、被嵌部５３が対応するフレーム材４４，４５に被嵌されることで、対応するフレーム材４４，４５に予め取り付けられている。
【００８２】
次に作業者は、複数の第３ねじ１３で上フレーム材４２を支持部材２に固定する。このとき作業者は、各第３ねじ１３を当接部４９の対応する通し孔５０に後方から挿入し、各第３ねじ１３を第１支持部２１の対応するねじ穴２７（図３参照）にねじ込む。
【００８３】
次に作業者は、各第１ねじ１１を本締めし、下フレーム材４３をキッチンカウンター６に本固定する。
【００８４】
次に作業者は、左右のフレーム材４４，４５にそれぞれ取り付けてある一対のサイドカバー５１，５２を、一対の第４ねじ１４で支持部材２に固定する。このとき作業者は、図９に示すように、サイドカバー５１，５２を対応するフレーム材４４，４５に沿って上方にスライドし、固定片部５４を支持部材２における突出部分２５の下面に当てる。次に作業者は、第４ねじ１４を当該サイドカバー５１，５２の透孔５６に下方から挿入し、この第４ねじ１４を支持部材２の対応するねじ穴２６（図５参照）にねじ込む。これにより、各サイドカバー５１，５２は支持部材２に固定される。
【００８５】
次に作業者は、図１１Ａ及び図１１Ｂに示すように、下カバー部材８を複数の下カバークリップ８２を介して下フレーム材４３に取り付け、上カバー部材９を、複数の上カバークリップ９２を介して支持部材２に取り付ける。なお、下カバー部材８を下フレーム材４３に取付ける作業は、上カバー部材９を支持部材２に取り付ける作業の前後いずれに行われてもよい。
【００８６】
下カバー部材８を下フレーム材４３に取り付ける場合、作業者は、下フレーム材４３に複数の下カバークリップ８２をねじ止めし、この後、下カバー部材８を下カバークリップ８２に取り付ける。
【００８７】
上カバー部材９を支持部材２に取り付ける場合、作業者は、図１０に示すように、支持部材２に複数の上カバークリップ９２をねじ止めし、上カバー部材９を複数の上カバークリップ９２に取り付ける。次に作業者は、上カバー部材９を図１１に示す一対の第５ねじ１５によって一対のサイドカバー５１，５２に固定し、この後、上カバー部材９に一対の化粧プレート９３，９４（図１Ａ参照）を取り付ける。
【００８８】
（補足）
以上説明した実施形態は、適宜変更可能である。例えば、支持部材２は金属製に限られず、合成樹脂製であってもよい。また、第２支持部２２は省略可能である。
【００８９】
また、パネル本体４０の材質はガラスに限られず、合成樹脂等であってもよい。また、パネル本体４０は、半透明又は不透明であってもよい。
【００９０】
また、各フレーム材４２〜４５は、金属製に限られず、例えば合成樹脂製であってもよい。
【００９１】
また、一対のサイドカバー５１，５２は、複数の第４ねじ１４により第１支持部２１に固定されてもよい。また、一対のサイドカバー５１，５２は省略可能である。また、下カバー部材８は省略可能である。また、上カバー部材９は省略可能である。また、カバー部材８，９は、合成樹脂製に限られず、例えば金属製であってもよい。
【００９２】
（効果）
以上説明した実施形態の仕切パネル１は、以下に示す特徴を有している。仕切パネル１は、支持部材２、パネル部材４及びねじ（第１ねじ）１１を備えている。支持部材２は、キッチンカウンター６の上方に位置するレンジフード７に取り付けられる。パネル部材４は、キッチンカウンター６とレンジフード７との間に立った状態で設けられ、キッチンカウンター６の上端部に設けられた加熱調理器６０の後側に配置される。ねじ１１は、パネル部材４をキッチンカウンター６に固定する。パネル部材４は、パネル本体４０、上フレーム材４２、下フレーム材４３、左フレーム材４４及び右フレーム材４５を備える。パネル本体４０は板状に形成されている。上フレーム材４２は、パネル本体４０の上端部に取り付けられる。下フレーム材４３は、パネル本体４０の下端部に取り付けられる。左フレーム材４４は、パネル本体４０の左端部に取り付けられ、上端部が上フレーム材４２に連結され、下端部が下フレーム材４３に連結される。右フレーム材４５は、パネル本体４０の右端部に取り付けられ、上端部が上フレーム材４２に連結され、下端部が下フレーム材４３に連結される。支持部材２は、取付部２３と支持部２０とを備える。取付部２３はレンジフード７に取り付けられる。支持部２０は、取付部２３に繋がり、上フレーム材４２を支持する。下フレーム材４３に、ねじ１１によってキッチンカウンター６に固定される固定部５７が形成される。以下、この特徴を有する仕切パネル１を第１の態様の仕切パネル１という。
【００９３】
第１の態様の仕切パネル１は、支持部材２をレンジフード７に取り付けた後、パネル部材４をキッチンカウンター６とレンジフード７との間に立て、この後、下フレーム材４３の固定部５７をねじ１１でキッチンカウンター６に取り付けて、施工することができる。このとき、作業者は、固定部５７をねじ１１でキッチンカウンター６に取り付ける作業を、支持部材２の支持部２０によって上フレーム材４２を支持した状態で行うことができる。このため、作業者は固定部５７をキッチンカウンター６に容易に取り付けることができる。
【００９４】
また、前記実施形態の仕切パネル１は、第１の態様の仕切パネル１が有する特徴に加えて、以下に示す付加的な特徴を有する。仕切パネル１は、第２ねじ１２と第３ねじ１３とを備える。第２ねじ１２は、支持部材２をレンジフード７に固定する。第３ねじ１３は、上フレーム材４２を支持部材２に固定する。支持部２０は、第１支持部２１と第２支持部２２とを備える。第１支持部２１は、取付部２３から下方に突出し、上フレーム材４２を前側から支持する。第２支持部２２は、取付部２３における第１支持部２１よりも前方に位置する部分から下方に突出し、第１支持部２１の下端よりも下方に延び、上フレーム材４２を前側から支持する。第２ねじ１２により取付部２３がレンジフード７に固定される。第３ねじ１３により上フレーム材４２が第１支持部２１に固定される。以下、この仕切パネル１を第２の態様の仕切パネル１という。
【００９５】
第２の態様の仕切パネル１は、上フレーム材４２を第１支持部２１と第２支持部２２との両者で支持することができる。また、第３ねじ１３により第１支持部２１を支持部材２に固定することで、パネル部材４を強固に固定することができる。
【００９６】
また、前記実施形態の仕切パネル１は、第２の態様の仕切パネル１が有する特徴に加えて、以下に示す付加的な特徴を有する。仕切パネル１は、カバー部材（上カバー部材）９をさらに備える。カバー部材９は、パネル部材４に取り付けられ、上フレーム材４２を後側から覆う。取付部２３における第１支持部２１よりも後方に位置する部分が、第２ねじ１２によってレンジフード７に固定される。カバー部材９によって第２ねじ１２と第３ねじ１３とが覆われる。以下、この仕切パネル１を第３の態様の仕切パネル１という。
【００９７】
第３の態様の仕切パネル１は、支持部材２をレンジフード７に固定する第２ねじ１２と、上フレーム材４２を第１支持部２１に固定する第３ねじ１３を、上フレーム材４２を覆うカバー部材９で覆い隠すことができる。
【００９８】
また、前記実施形態の仕切パネル１は、第３の態様の仕切パネル１が有する特徴に加えて、以下に示す付加的な特徴を有する。パネル部材４は、一対のサイドカバー５１，５２と、複数の第４ねじ１４とをさらに備える。一対のサイドカバー５１，５２は、左フレーム材４４及び右フレーム材４５に一対一で対応する。複数の第４ねじ１４は、一対のサイドカバー５１，５２を支持部材２にそれぞれ固定する。左フレーム材４４及び右フレーム材４５の各々は、レンジフード７との間に隙間１６，１７が形成された状態でレンジフード７の下方に配置される。一対のサイドカバー５１，５２の各々は、対応する隙間１６，１７を覆う。複数の第４ねじ１４により一対のサイドカバー５１，５２が取付部２３における第１支持部２１よりも後方に位置する部分又は第１支持部２１に固定される。複数の第４ねじ１４はカバー部材９によって覆われる。以下、この仕切パネル１を第４の態様の仕切パネル１という。
【００９９】
第４の態様の仕切パネル１は、一対のサイドカバー５１，５２により、左フレーム材４４とレンジフード７との間に形成された隙間１６と、右フレーム材４５とレンジフード７との間に形成された隙間１７とをそれぞれ覆い隠すことができる。また、一対のサイドカバー５１，５２を支持部材２に固定する複数の第４ねじ１４をカバー部材９によって覆い隠すことができる。
【０１００】
また、前記実施形態の仕切パネル１の取付方法は、第１〜第４のいずれかの態様の仕切パネル１の取付方法であって、以下に示す特徴を有する。取付部２３をレンジフード７に固定する。この後、パネル部材４をキッチンカウンター６とレンジフード７との間に立った状態で配置して、上フレーム材４２を支持部２０によって支持する。この状態で、固定部５７をねじ１１によってキッチンカウンター６に固定する。以下、この態様の取付方法を第１の態様の取付方法という。
【０１０１】
第１の態様の取付方法にあっては、パネル部材４における下フレーム材４３の固定部５７をねじ１１でキッチンカウンター６に取り付ける作業を、支持部材２の支持部２０によって上フレーム材４２を支持した状態で行うことができる。このため、作業者は固定部５７をキッチンカウンター６に容易に固定することができる。
【０１０２】
また、前記実施形態の仕切パネル１の取付構造は、以下の特徴を有する。仕切パネル１の取付構造は、キッチンカウンター６、加熱調理器６０、レンジフード７及び仕切パネル１を備える。加熱調理器６０は、キッチンカウンター６の上端部に設けられる。レンジフード７は、加熱調理器６０の上方に設けられる。仕切パネル１は、支持部材２とパネル部材４とねじ１１とを備える。支持部材２は、レンジフード７に取り付けられる。パネル部材４は、キッチンカウンター６とレンジフード７との間に立った状態で設けられ、加熱調理器６０の後側に配置される。ねじ１１は、パネル部材４をキッチンカウンター６に固定する。パネル部材４は、パネル本体４０、上フレーム材４２、下フレーム材４３、左フレーム材４４及び右フレーム材４５を備える。パネル本体４０は、板状に形成される。上フレーム材４２は、パネル本体４０の上端部に取り付けられる。下フレーム材４３はパネル本体４０の下端部に取り付けられる。左フレーム材４４は、パネル本体４０の左端部に取り付けられ、上端部が上フレーム材４２に連結され、下端部が下フレーム材４３に連結される。右フレーム材４５は、パネル本体４０の右端部に取り付けられ、上端部が上フレーム材４２に連結され、下端部が下フレーム材４３に連結される。支持部材２は、取付部２３と支持部２０とを備える。取付部２３はレンジフード７に固定される。支持部２０は取付部２３に繋がり、上フレーム材４２を支持する。ねじ１１により下フレーム材４３がキッチンカウンター６に固定される。以下、この特徴を有する取付構造を第１の態様の取付構造という。
【０１０３】
第１の態様の取付構造で用いられる仕切パネル１は以下のように施工される。作業者は、まず支持部材２をレンジフード７に取り付け、この後、パネル部材４をキッチンカウンター６とレンジフード７との間に立てる。そして、作業者は、下フレーム材４３の固定部５７をねじ１１でキッチンカウンター６に取り付ける。このとき、作業者は、固定部５７をねじ１１でキッチンカウンター６に取り付ける作業を、支持部材２の支持部２０によって上フレーム材４２を支持した状態で行うことができる。このため、作業者は固定部５７をキッチンカウンター６に容易に固定することができる。
【符号の説明】
【０１０４】
１  仕切パネル
１１  第１ねじ（ねじ）
１２  第２ねじ
１３  第３ねじ
１４  第４ねじ
１６  隙間（左）
１７  隙間（右）
２  支持部材
２０  支持部
２１  第１支持部
２２  第２支持部
２３  取付部
４  パネル部材
４０  パネル本体
４２  上フレーム材
４３  下フレーム材
４４  左フレーム材
４５  右フレーム材
５１  サイドカバー（左）
５２  サイドカバー（右）
５７  固定部
６  キッチンカウンター
６０  加熱調理器
７  レンジフード
９  上カバー部材（カバー部材）
【図１】
2018183435.tif 000003
【図２】
2018183435.tif 000004
【図３】
2018183435.tif 000005
【図４】
2018183435.tif 000006
【図５】
2018183435.tif 000007
【図６】
2018183435.tif 000008
【図７】
2018183435.tif 000009
【図８】
2018183435.tif 000010
【図９】
2018183435.tif 000011
【図１０】
2018183435.tif 000012
【図１１】
2018183435.tif 000013